(57)【要約】【課題】本発明は、防水性の向上を図った電子機器を得ることにある。【解決手段】電子機器１は、ドライブユニット８を収納可能な収納部６を有した筐体と、筐体内に設けられた複数の配線４８ａ、４８ｂ、４８ｃと、を備えている。筐体内に配線ホルダ４０が設けられている。配線ホルダは、収納部の一部を規定した板状の本体４２とこの本体に設けられ配線の少なくとも一部を保持した保持部４４と、を有している。【選択図】      図３
2007048085.tif 000002
【特許請求の範囲】
【請求項１】
ドライブユニットを収納可能な収納部を有した筐体と、
前記筐体内に設けられた複数の配線と、
前記筐体内に設けられ、前記収納部の一部を規定した板状の本体とこの本体に設けられ前記配線の少なくとも一部を保持した保持部と、を有する配線ホルダと、
を備えた電子機器。
【請求項２】
前記配線ホルダの保持部は、前記本体に形成され前記配線を収容する凹所を規定した複数のリブを備えている請求項１に記載の電子機器。
【請求項３】
前記複数のリブは互いに平行に延びているとともに前記収納部と重なって位置し、前記凹所は前記リブに沿って延びているとともに、前記配線を外部に引き出す両端部を有している請求項２に記載の電子機器。
【請求項４】
前記筐体は、前記収納部に対向して設けられたトップカバーと、このトップカバー上に載置されたキーボードとを備え、前記配線ホルダは、前記収納部と前記トップカバーとの間に配設されている請求項３に記載の電子機器。
【請求項５】
前記リブは、前記配線ホルダの本体から前記トップカバーに向かって突出している請求項４に記載の電子機器。
【請求項６】
前記筐体は、その内面に形成され前記配線ホルダと対向したリブを有し、前記筐体のリブは、前記配線ホルダのリブと並んで設けられている請求項１に記載の電子機器。
【請求項７】
前記配線ホルダは、前記収納部に装填されたドライブユニットに接触する接触端子を有し、前記接触端子は前記筐体のグランドに接続されている請求項１に記載の電子機器。
【請求項８】
前記配線ホルダの本体は、前記収納部の少なくとも一部を覆って設けられた板状のカバー部と、前記カバー部から延出しているとともに前記収納部における前記ドライブユニットの移動をガイドするガイド部と、を有している請求項１に記載の電子機器。
【発明の詳細な説明】
【技術分野】
【０００１】
この発明は、ドライブユニットを装填可能な収納部を備えた電子機器に関する。
【背景技術】
【０００２】
例えば、ポータブルコンピュータのような電子機器は、筐体を備えている。この筐体内には、ＣＤドライブ、ハードディスクドライブ、ＤＶＤドライブなどのドライブユニットを収納可能な収納部が形成されている。また、筐体内には、多数の電子部品が実装された回路基板、部品同士を電気的に接続した複数本の配線（ハーネス）が設けられている。
【０００３】
上記のような配線は、筐体内において、所望の位置に沿って引き回される必要がある。特に、小型の電子機器においては、配線を含む電子部品の設置スペースが小さく、配線が他の電子部品あるいは収納部と干渉する虞がある。また、配線の引き回し作業が面倒であり、組立性低下の要因となる。
【０００４】
このような配線の取扱いを容易にするため、ケーブル収納ダクトが提案されている（例えば、特許文献１参照）。特許文献１によれば、ケーブル収納ダクト内に複数本の配線を収納することにより、複数本の配線を１つの束に拘束し、所望の位置に保持している。
【特許文献１】実開平５−２３５８１号公報
【発明の開示】
【発明が解決しようとする課題】
【０００５】
ケーブル収納ダクトは、複数本の配線をほぼ全長に渡って覆い収納するように構成されている。そのため、収納ダクト自体は比較的太く形成され、その両端部はそれぞれ所望の位置に固定されている。そのため、このようなケーブル収納ダクトは、比較的大型の装置、例えば、特許文献１に示されているような現金自動支払い機の内部に設けることは可能であるが、比較的小型の電子機器においては、筐体内部に収納ダクトの設置スペースを確保することが困難となる。また、筐体内でケーブル収納ダクトと他の電子部品とが干渉し、電子部品が損傷する虞もある。
【０００６】
この発明は以上の点に鑑みなされたもので、その目的は、配線の引き回しを容易とし組立性の向上を図ることが可能の電子機器を提供することにある。
【課題を解決するための手段】
【０００７】
上記目的を達成するため、この発明の形態に係る電子機器は、ドライブユニットを収納可能な収納部を有した筐体と、前記筐体内に設けられた複数の配線と、前記筐体内に設けられ、前記収納部の一部を規定した板状の本体とこの本体に設けられ前記配線の少なくとも一部を保持した保持部と、を有する配線ホルダと、を備えている。
【発明の効果】
【０００８】
この構成によれば、配線ホルダにより複数の配線を容易に引き回すことができるとともに、組立性の向上を図ることが可能の電子機器を提供することができる。
【発明を実施するための最良の形態】
【０００９】
以下、図面を参照しながら、この発明に係る電子機器をポータブルコンピュータに適用した実施形態について詳細に説明する。
【００１０】
図１ないし図３は、本発明の第１の実施形態に係るポータブルコンピュータ１を示している。図１に示すように、ポータブルコンピュータ１は、機器本体２とディスプレイユニット３とを備えている。
【００１１】
図１に示すように、ポータブルコンピュータ１は、機器本体２と、この機器本体２に支持されたディスプレイユニット３とを備えている。機器本体２は、例えば合成樹脂で形成された筐体４を備えている。筐体４は、ベース５およびトップカバー４ａを有し偏平な矩形箱状をなしている。筐体４内には収納部６が形成され、この収納部には、ドライブユニットとして、例えば、光学ディスクドライブ（以下ＯＤＤと称する）８を着脱自在に装填可能となっている。収納部６には、ＯＤＤに代えて、図示しないハードディスクドライブ（ＨＤＤ）、磁気ディスクドライブ（ＦＤＤ）等の他のドライブユニットを選択的に装填可能に構成されている。
【００１２】
図１および図２に示すように、筐体４において、トップカバー４ａの中央部にはキーボード載置部１０が設けられ、このキーボード載置部にキーボード１２が載置されている。トップカバー４ａの後端部左右には、それぞれスピーカ１４が露出して設けられている。トップカバー４ａの上面前端部はパームレスト部１６を構成し、このパームレスト部のほぼ中央にはタッチパッド１５およびクリックボタン１７が設けられている。
【００１３】
図１に示すように、ディスプレイユニット３は、偏平な矩形箱状のハウジング１８と、ハウジング内に収納された液晶表示パネル２０とを備えている。液晶表示パネル２０の表示面２０ａは、ハウジング１８に形成された表示窓２１を介して外部に露出している。ハウジング１８は、その一端部から突出した一対の脚部２２を有している。これらの脚部２２は、図示しないヒンジ部を介して、筐体４の後端部に回動自在に支持されている。これにより、ディスプレイユニット３は、キーボード１２を上方から覆うように倒される閉じ位置と、キーボード１２の後方において起立する開き位置とに亘って回動可能となっている。
【００１４】
図２および図３に示すように、筐体４のベース５は、トップカバー４ａと対向したほぼ矩形状の底壁４ｂ、底壁の周囲に立設された左右の側壁４ｃ、前壁４ｄおよび後壁４ｅを一体に有している。底壁４ｂ上には、プリント回路基板２４が設けられている。このプリント回路基板２４上には、ＣＰＵ２５ａを含む複数の半導体素子２５、モデム基板２６、モデムコネクタ２７、ＵＳＢ基板２８、その他、種々の電子部品が実装されている。
【００１５】
ベース５には、ＣＰＵ２５ａを含む半導体素子２５を冷却するための冷却ファン３０、ＰＣカード等のカード状電子機器を装填するためのカードスロット３２、ＲＧＢ基板３１が設けられている。ＲＧＢ基板３１は、ケーブル９を介してディスプレイユニット３の液晶表示パネル２０に接続されている。
【００１６】
前述したように、筐体４内、ここでは、ベース５内には、偏平なほぼ矩形箱状の収納部６が形成されている。この収納部６は、ベース５の側壁４ｃに開口した挿入口６ａを有している。ＯＤＤ８は、挿入口６ａを通して、収納部６に装填および収納部から取り出し可能となっている。ベース５内にはモデム接続端子３４が設けられ、このモデム接続端子はベース５の側壁４ｃに形成された開口と対向している。ＵＳＢ基板２８上には、複数、例えば２つのＵＳＢコネクタ３５が設けられている。これらのＵＳＢコネクタ３５は、それぞれ側壁４ｃに形成された開口と対向している。
【００１７】
図３に示すように、筐体４内において、ベース５上には、複数の配線（ハーネス）を保持した配線ホルダ４０が設けられている。図３および図４に示すように、配線ホルダ４０は、ほぼＬ字形の板状に形成された本体４２と、本体に設けられ配線の少なくとも一部を保持した保持部４４とを有している。本体４２は、ほぼ矩形板状のカバー部４２ａと、カバー部の一端からほぼ直角に延出したガイド部４２ｂとを一体に有している。軽量化を図るため、本体４２には多数の透孔が形成されている。
【００１８】
保持部４４は、本体４２上に形成された複数、例えば、３本のリブ４５ａ、４５ｂ、４５ｃを有している。３本のリブ４５ａ、４５ｂ、４５ｃは互いに隙間を置いて平行に延び、かつ、カバー部４２ａの幅方向ほぼ全長に渡って延びている。リブ４５ａ、４５ｂ、４５ｃ間には、それぞれ配線を収納可能な細長い凹所４６ａ、４６ｂが規定されている。凹所４６ａ、４６ｂは、カバー部４２ａの幅方向ほぼ全長に渡って延び、その両端部は、外部に開口し、それぞれ配線の引き出し口を形成している。１つのリブ４５ｃは、本体４２に沿ってＬ字状に形成され、ガイド部４２ｂの延出端部４２ｃの近傍まで延びている。また、本体４２には、リブ４５ｃに対向する複数の係合突起４７が設けられている。係合突起４７はリブ４５ｃと共同して、配線を収納、位置決め可能な凹所４６ｃを形成している。この凹所４６ｃは、凹所４６ａ、４６ｂと直交する方向に延びている。上記配線ホルダ４０は、合成樹脂、例えば、ポリカーボネイトにより一体に成形されている。
【００１９】
図３ないし図９に示すように、配線ホルダ４０の保持部４４には、複数本、例えば、３本の配線４８ａ、４８ｂ、４８ｃが保持されている。すなわち、配線４８ａ、４８ｂはその中間部分が保持部４４の凹所４６ｂに嵌め込まれた状態で配線ホルダ４０に保持されている。配線４８ａ、４８ｂの一端部は、凹所４６ｂの一方の引き出し口から配線ホルダ４０の外側に引き出され、他端部は、凹所４６ｂの他方の引き出し口から配線ホルダ４０の外側に引き出されている。配線４８ｃは、その大部分が保持部４４の凹所４６ａおよび４６ｃｂに嵌め込まれた状態で配線ホルダ４０に保持されている。配線４８ｃの一端部は、凹所４６ａの引き出し口から配線ホルダ４０の外側に引き出されている。
【００２０】
図５および図８に示すように、配線ホルダ４０の本体４２に保持テープ５０が貼付され凹所４６ａ、４６ｂの少なくとも一部を覆っている。配線４８ａ、４８ｂ、４８ｃは、保持テープ５０により、凹所４６ａ、４６ｂからの抜けが防止され、凹所内に確実に保持されている。配線を凹所内に保持する構成として、保持テープの他、抜け止め用の爪をリブ４５ａ、４５ｂ、４５ｃに設けてもよい。なお、凹所４６ａ、４６ｂの幅を収納する配線と径と合わせることにより、保持テープや爪等を用いることなく、配線を十分に保持することができる。
【００２１】
配線ホルダ４０において、ガイド部４２ｂの延出端部４２ｃには、ドライブユニット８に接触する接触端子としてグランド端子５２が固定されている。
【００２２】
図３に示すように、配線が装着された配線ホルダ４０は、筐体４内でベース５の底壁４ｂに固定されている。ここでは、例えば、複数本のねじ５４によりベース５にねじ止めされている。この際、配線ホルダ４０に固定されたグランド端子５２は、ねじ５４によって共締めされ、ベース５のグランドに電気的に接続されている。
【００２３】
配線ホルダ４０に保持された配線４８ａ、４８ｂは、その一端がそれぞれモデムコネクタ２７に接続されている。配線４８ａの他端は、モデム接続端子３４に接続されている。配線４８ｂの他端は、モデム基板２９に接続されている。また、配線４８ｃの一端は、ＲＧＢ基板３１に接続され、他端は、配線ホルダ４０の近傍で、プリント回路基板２４に接続されている。
【００２４】
図３、および図６ないし図９に示すように、配線ホルダ４０のカバー部４２ａは、ベース５の収納部６の少なくとも一部、ここでは、挿入口６ａと反対側に位置した端部を覆うように配設され、収納部６の一部を規定している。配線ホルダ４０のカバー部４２ａは、収納部６とトップカバー４ａとの間に位置し、更に、トップカバーのキーボード載置部１０と重なって位置している。また、配線ホルダ４０に形成された複数のリブ４５ａ、４５ｂは、収納部６と重なって延びているとともに、配線ホルダ４０の本体４２からトップカバー４ａ側に突出し、トップカバーの内面に隣接対向している。保持部４４の凹所４６ａ、４６ｂは、トップカバー４ａによって閉じられている。これにより、配線４８ａ、４８ｂ、４８ｃは配線ホルダ４０の保持部４４により一層確実に保持される。
【００２５】
配線ホルダ４０のガイド部４２ｂは、収納部６に対するドライブユニット８の装填方向に沿って配置され、収納部６の側縁部を形成しているとともにドライブユニットをガイドするガイドを構成している。
【００２６】
そして、配線４８ａ、４８ｂ、４８ｃは、配線ホルダ４０によって所望の位置、ここでは、収納部６の周囲に保持され、収納部および他の電子部品と干渉することなく引き回されている。
【００２７】
図６ないし図８に示すように、トップカバー４ａの内面には複数のリブ５６が突設され、これらリブの間に凹所５６ａが形成されている。この凹所５６ａには、他の配線５８が収納され、保持および位置決めされている。トップカバー４ａ側のリブ５６は、配線ホルダ４０のリブ４５ａと並んで位置しているとともに、配線ホルダ４０の本体４２と隣接対向している。これにより、凹所５８ａは、配線ホルダ４０によって閉じられ、配線５８は凹所５８ａ内に確実に保持される。
【００２８】
一方、収納部６に装填されたＯＤＤ８は、その外面がグランド端子５２に接触し、筐体４のグランドに接続される。図７に示すように、ＯＤＤ８の先端部に設けられたコネクタ８ａは、プリント回路基板２４上に実装されたコネクタ２４ａに接続されている。これにより、ＯＤＤ８は、プリント回路基板２４を介して図示しない制御部に接続されている。
【００２９】
以上のように構成されたポータブルコンピュータ１によれば、配線ホルダ４０により複数の配線の少なくとも一部を保持し、位置決めすることにより、複数の配線を所望の位置に引き回し、収納部６あるいは他の電子部品との干渉を防止することができる。配線ホルダ４０は板状の本体４２と複数のリブとを備えた簡単でかつ薄型の構造であり、大きな設置スペースを必要とすることなく筐体４内に配置することが可能となる。この際、配線ホルダ４０によって、収納部６の一部を構成することにより、筐体４内の設置スペースを一層有効に利用できる。
【００３０】
収納部６とトップカバー４ａとの間でキーボード載置部１０の下方に配線ホルダ４０を設けることにより、配線ホルダ４０によってトップカバー４ａを支持および補強することができる。通常、ポータブルコンピュータ１の動作時において、キーボード１２のキーが強く押下されると、キーボード１２およびトップカバー４ａのキーボード載置部１０が押されて変形し、筐体４の厚さ方向に振動する、いわゆるトップカバーのトランポリン現象が生じる。この場合、収納部６内に装填されたドライブユニット８あるいは、筐体４内部に設けられた電子部品と、トップカバー４ａとが干渉し、ドライブユニットあるいは電子部品が損傷する虞がある。しかしながら、本実施形態によれば、配線ホルダ４０によりトップカバー４ａのトランポリン現象を抑制することができる。
【００３１】
この際、配線ホルダ４０の複数のリブ４５ａ、４５ｂ、４５ｃは、配線ホルダ４０の幅方向のほぼ全長に渡って延び、配線ホルダ自体の機械的強度を上げている。そのため、配線ホルダによりトップカバー４ａのトランポリン現象を一層確実に抑制することが可能となる。トップカバー４ａの内面にリブ５６を設けることにより、トップカバー自体の強度を上げることができる。更に、リブ５６が配線ホルダ４０の本体４２に隣接対向していることから、リブ５６と配線ホルダ４０とが共同して、トップカバー４ａの変形、振動を防止しすることが可能となる。
【００３２】
ポータブルコンピュータ１の組立時、複数の配線を予め配線ホルダ４０に装着して引き回し、配線ホルダおよび複数の配線を１つのユニットとして用意することができる。そして、このユニットを筐体のベースに取り付けることにより、組立工程における作業集中を分散できるとともに、配線引き回しミス等の組立不良を低減することが可能となる。
【００３３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３４】
配線ホルダにおいて、配線を保持する凹所の数は２本に限らず、１本あるいは３本以上としてもよい。同様に、配線ホルダにより保持する配線の数、およびリブの数は必要に応じて増減可能である。
【００３５】
配線ホルダは、合成樹脂に限らず、金属により形成してもよい。この場合、配線ホルダの強度向上を図ることができる。また、配線ホルダの一部をドライブユニットに接触させ、配線ホルダを介してドライブユニットを筐体のグランドに接続することができる。  
この発明はポータブルコンピュータに限らず、ＰＤＡ（パーソナル・デジタル・アシスタント）、携帯端末、電子手帳等の他の電子機器にも適用可能である。
【図面の簡単な説明】
【００３６】
【図１】図１は、この発明の実施形態に係るポータブルコンピュータの斜視図。
【図２】図２は、上記ポータブルコンピュータの機器本体およびキーボードを示す分解斜視図。
【図３】図３は、上記機器本体の内部構造を示す斜視図。
【図４】図４は、上記ポータブルコンピュータの配線ホルダを示す斜視図。
【図５】図５は、配線が装着された配線ホルダを示す斜視図。
【図６】図６は、図２の線Ａ−Ａに沿った上記機器本体の断面図。
【図７】図７は、図２の線Ｂ−Ｂに沿った上記機器本体の断面図。
【図８】図８は、図６に示された配線ホルダの保持部を拡大して示す断面図。
【図９】図９は、図２の線Ｃ−Ｃに沿った上記機器本体の断面図。
【符号の説明】
【００３７】
１…ポータブルコンピュータ、  ２…機器本体、  ３…ディスプレイユニット、
４…筐体、  ４ａ…トップカバー、  ５…ベース、  ６…収納部、８…ＯＤＤ、
１０…キーボード載置部、  １２…キーボード、  ４０…配線ホルダ、
４２…本体、  ４４…保持部、  ４５ａ、４５ｂ、４５ｃ…リブ、
４６ａ、４６ｂ…凹所、  ４８ａ、４８ｂ、４８ｃ…配線、  ５０…保持テープ
【図１】
2007048085.tif 000003
【図２】
2007048085.tif 000004
【図３】
2007048085.tif 000005
【図４】
2007048085.tif 000006
【図５】
2007048085.tif 000007
【図６】
2007048085.tif 000008
【図７】
2007048085.tif 000009
【図８】
2007048085.tif 000010
【図９】
2007048085.tif 000011